(57)【要約】【課題】本発明は、表示が小さく遠隔操作時に確認し難い情報を拡大表示し、遠隔操作を行っているユーザによる情報の確認が容易な情報処理装置及び表示制御方法を提供する。【解決手段】ユーザによりリモコン装置４０の拡大表示ＯＮ／ＯＦＦキー４０３が押下されると、これを受けて、ノート型パソコンＡの制御プログラム３００は、制御テーブル３０１を参照し、設定されている拡大倍率で、処理内容及び／又は関連する情報をメインＬＣＤ６に拡大表示するよう表示制御する（ＳＴ１２）。ここで、ユーザがリモコン装置４０の拡大表示ＯＮ／ＯＦＦキー４０３の押下を止めると、ノート型パソコンＡのリモコン受信部１３では指示信号を受信しなくなるので（ＳＴ１３）、制御プログラム３００は、メインＬＣＤ６の拡大表示を消すよう表示制御する（ＳＴ１４）。【選択図】　図７
2004118263.tif 000002
【特許請求の範囲】
【請求項１】
各種アプリケーションプログラムを処理する情報処理装置において、
処理内容や当該情報処理装置の状態に関する情報を表示する主表示装置と、
外部から非接触で送信される指示信号を受信する受信手段と、
この受信手段により外部から拡大表示を指示する信号が受信されると、現在の処理内容の一部あるいは関連する情報を前記主表示装置に通常表示するよりも大きく拡大して表示するよう表示制御する制御手段と、
を有することを特徴とする情報処理装置。
【請求項２】
各種アプリケーションプログラムを処理する情報処理装置において、
処理内容や当該情報処理装置の状態に関する情報を表示する主表示装置と、
外部から非接触で送信される所定の処理実行を指示する指示信号を少なくとも受信する受信手段と、
この受信手段により外部から拡大表示を指示する信号が受信されると、指示された処理内容を実行する実行手段と、
この実行手段によって処理される処理内容の一部あるいは関連する情報を前記主表示装置に通常表示するよりも大きく拡大して表示するよう表示制御する制御手段と、
を有することを特徴とする情報処理装置。
【請求項３】
各種アプリケーションプログラムを処理する情報処理装置において、
処理内容や当該情報処理装置の状態に関する情報を表示する主表示装置と、
この主表示装置よりも小さい表示領域を有する副表示装置と、
外部から非接触で送信される指示信号を受信する受信手段と、
この受信手段により外部から拡大表示を指示する信号が受信されると、前記副表示装置に表示されている情報を前記主表示装置に拡大表示するよう表示制御する制御手段と、
を有することを特徴とする情報処理装置。
【請求項４】
各種アプリケーションプログラムを処理する情報処理装置において、
処理内容や当該情報処理装置の状態に関する情報を表示する主表示装置と、
この主表示装置よりも小さい表示領域を有する副表示装置と、
外部から非接触で送信される所定の処理実行を指示する指示信号を少なくとも受信する受信手段と、
この受信手段により外部から拡大表示を指示する信号が受信されると、指示された処理内容を実行する実行手段と、
この実行手段による処理実行と並行して前記副表示装置に表示されている情報を前記主表示装置に拡大表示するよう表示制御する制御手段と、
を有することを特徴とする情報処理装置。
【請求項５】
各種アプリケーションプログラムを処理する情報処理装置において、
処理内容や当該情報処理装置の状態に関する情報を表示する主表示装置と、
外部から非接触で送信される指示信号を受信する受信手段と、
前記受信手段により受信された指示信号に基いて非接触で指示信号を送信した位置との距離を算出する算出手段と、
この受信手段により外部から指示信号が受信されると、現在の処理内容の一部あるいは関連する情報を前記算出手段により算出された距離に応じた拡大倍率で前記主表示装置に拡大表示するよう表示制御する制御手段と、
を有することを特徴とする情報処理装置。
【請求項６】
前記制御手段は、更に、前記受信手段により外部から拡大表示をやめるよう指示する信号が受信されると、前記主表示装置に表示している拡大表示をやめるよう表示制御することを特徴とする請求項１乃至請求項５のいずれか記載の情報処理装置。
【請求項７】
前記制御手段は、前記主表示装置に拡大表示するよう表示制御してから所定時間経過すると、前記主表示装置に表示している拡大表示をやめるよう表示制御することを特徴とする請求項１乃至請求項５のいずれか記載の情報処理装置。
【請求項８】
前記受信手段により外部から拡大表示の拡大倍率を変更するよう指示する信号が受信されると、前記主表示装置に拡大表示する拡大倍率を変更する変更手段とを有することを特徴とする請求項１乃至請求項５のいずれか記載の情報処理装置。
【請求項９】
前記制御手段は、更に、拡大表示の対象となる情報に変化が生じると、前記主表示装置に変化が生じた情報を拡大表示することを特徴とする請求項１乃至請求項５のいずれか記載の情報処理装置。
【請求項１０】
前記主表示装置と所定距離以内の位置に設置された入力手段を有し、
前記制御手段は、更に、前記入力手段から入力が行われると、前記主表示装置に表示している拡大表示をやめるよう表示制御することを特徴とする請求項１乃至請求項５のいずれか記載の情報処理装置。
【請求項１１】
前記受信手段は、当該情報処理装置とは別体に形成されたリモコン装置から非接触で送信される指示信号を受信するものであることを特徴とする請求項１乃至請求項１０のいずれか記載の情報処理装置。
【請求項１２】
処理内容や当該情報処理装置の状態に関する情報を表示する主表示装置を有し、各種アプリケーションプログラムを処理する情報処理装置における表示制御方法において、
外部から非接触で送信される指示信号を受信するステップと、
この受信ステップにより外部から拡大表示を指示する信号が受信されると、現在の処理内容の一部あるいは関連する情報を前記主表示装置に通常表示するよりも大きく拡大して表示するよう表示制御するステップと、
を有することを特徴とする表示制御方法。
【請求項１３】
処理内容や当該情報処理装置の状態に関する情報を表示する主表示装置を有し、各種アプリケーションプログラムを処理する情報処理装置における表示制御方法において、
外部から非接触で送信される所定の処理実行を指示する指示信号を少なくとも受信するステップと、
この受信ステップにより外部から拡大表示を指示する信号が受信されると、指示された処理内容を実行するステップと、
この実行ステップによって処理される処理内容の一部あるいは関連する情報を前記主表示装置に通常表示するよりも大きく拡大して表示するよう表示制御するステップと、
を有することを特徴とする表示制御方法。
【請求項１４】
処理内容や当該情報処理装置の状態に関する情報を表示する主表示装置と、この主表示装置よりも小さい表示領域を有する副表示装置とを有し、各種アプリケーションプログラムを処理する情報処理装置における表示制御方法において、
外部から非接触で送信される指示信号を受信する受信ステップと、
この受信ステップにより外部から拡大表示を指示する信号が受信されると、前記副表示装置に表示されている情報を前記主表示装置に拡大表示するよう表示制御するステップと、
を有することを特徴とする表示制御方法。
【請求項１５】
処理内容や当該情報処理装置の状態に関する情報を表示する主表示装置と、この主表示装置よりも小さい表示領域を有する副表示装置とを有し、各種アプリケーションプログラムを処理する情報処理装置における表示制御方法において、
外部から非接触で送信される所定の処理実行を指示する指示信号を少なくとも受信する受信ステップと、
この受信ステップにより外部から拡大表示を指示する信号が受信されると、指示された処理内容を実行する実行ステップと、
この実行ステップによる処理実行と並行して前記副表示装置に表示されている情報を前記主表示装置に拡大表示するよう表示制御するステップと、
を有することを特徴とする表示制御方法。
【請求項１６】
処理内容や当該情報処理装置の状態に関する情報を表示する主表示装置を有し、各種アプリケーションプログラムを処理する情報処理装置における表示制御方法において、
外部から非接触で送信される指示信号を受信するステップと、
この受信された指示信号に基いて非接触で指示信号を送信した位置との距離を算出するステップと、
この受信ステップにより外部から指示信号が受信されると、現在の処理内容の一部あるいは関連する情報を前記算出手段により算出された距離に応じた拡大倍率で前記主表示装置に拡大表示するよう表示制御するステップと、
を有することを特徴とする表示制御方法。
【発明の詳細な説明】
【０００１】
【発明の属する技術分野】
本発明は、リモート操作に伴って、表示装置に情報を拡大表示する情報処理装置及び表示制御方法に関する。
【０００２】
【従来の技術】
近年、情報処理装置やソフトウェアの高度化に伴い、ユーザに提供する情報量も飛躍的に増加しており、表示装置の大型化や高精細化、更には複数の表示装置を有したり、遠隔操作可能な情報処理装置が登場してきている。
【０００３】
例えば従来の技術として、特開２００１−２４６８５公報には、リモコンを用いて遠隔操作可能な電子機器で、表示装置の表示画面上に操作パネルを表示し、この表示された操作パネルを見ながらリモコンでリモート操作を行う構成が開示されている。
【０００４】
【特許文献１】
特開２００１−２４６８５号公報
【０００５】
【発明が解決しようとする課題】
しかしながら、従来の装置では、遠隔操作に伴う操作パネルを表示装置の表示画面上に表示することでユーザがリモート操作を行うことに苦労はなかったが、電子機器上の表示装置や、その他の副表示装置に表示された表示情報で、遠隔操作を行っている場所からユーザが認識しずらい情報については、何等考慮されていなかった。即ち、遠隔操作が可能であったとしても、電子機器の状態が認識できる、極限られた距離でしかリモート操作を行うことができないという問題がある。
【０００６】
本発明は、以上の点に鑑みなされたもので、表示が小さく遠隔操作時に確認し難い情報を拡大表示し、遠隔操作を行っているユーザによる情報の確認が容易な情報処理装置及び表示制御方法を提供することを目的とする。
【０００７】
【課題を解決するための手段】
上記目的を達成するために、本発明の情報処理装置は、各種アプリケーションプログラムを処理する情報処理装置において、処理内容や当該情報処理装置の状態に関する情報を表示する主表示装置と、外部から非接触で送信される指示信号を受信する受信手段と、この受信手段により外部から拡大表示を指示する信号が受信されると、現在の処理内容の一部あるいは関連する情報を前記主表示装置に通常表示するよりも大きく拡大して表示するよう表示制御する制御手段と、を有することを特徴とする。
【０００８】
上記目的を達成するために、本発明の情報処理装置は、各種アプリケーションプログラムを処理する情報処理装置において、処理内容や当該情報処理装置の状態に関する情報を表示する主表示装置と、外部から非接触で送信される所定の処理実行を指示する指示信号を少なくとも受信する受信手段と、この受信手段により外部から拡大表示を指示する信号が受信されると、指示された処理内容を実行する実行手段と、この実行手段によって処理される処理内容の一部あるいは関連する情報を前記主表示装置に通常表示するよりも大きく拡大して表示するよう表示制御する制御手段と、を有することを特徴とする。
【０００９】
上記目的を達成するために、本発明の情報処理装置は、各種アプリケーションプログラムを処理する情報処理装置において、処理内容や当該情報処理装置の状態に関する情報を表示する主表示装置と、この主表示装置よりも小さい表示領域を有する副表示装置と、外部から非接触で送信される指示信号を受信する受信手段と、この受信手段により外部から拡大表示を指示する信号が受信されると、前記副表示装置に表示されている情報を前記主表示装置に拡大表示するよう表示制御する制御手段と、を有することを特徴とする。
【００１０】
上記目的を達成するために、本発明の情報処理装置は、各種アプリケーションプログラムを処理する情報処理装置において、処理内容や当該情報処理装置の状態に関する情報を表示する主表示装置と、この主表示装置よりも小さい表示領域を有する副表示装置と、外部から非接触で送信される所定の処理実行を指示する指示信号を少なくとも受信する受信手段と、この受信手段により外部から拡大表示を指示する信号が受信されると、指示された処理内容を実行する実行手段と、この実行手段による処理実行と並行して前記副表示装置に表示されている情報を前記主表示装置に拡大表示するよう表示制御する制御手段と、を有することを特徴とする。
【００１１】
上記目的を達成するために、本発明の情報処理装置は、各種アプリケーションプログラムを処理する情報処理装置において、処理内容や当該情報処理装置の状態に関する情報を表示する主表示装置と、外部から非接触で送信される指示信号を受信する受信手段と、前記受信手段により受信された指示信号に基いて非接触で指示信号を送信した位置との距離を算出する算出手段と、この受信手段により外部から指示信号が受信されると、現在の処理内容の一部あるいは関連する情報を前記算出手段により算出された距離に応じた拡大倍率で前記主表示装置に拡大表示するよう表示制御する制御手段と、を有することを特徴とする。
【００１２】
【発明の実施の形態】
以下、本発明に係る実施の形態について図面を参照して詳細に説明する。図１は、本発明の一実施の形態に係る情報処理装置としてのノート型パーソナルコンピュータＡ（以下ノート型パソコンと称す）の斜視図である。
【００１３】
ノート型パソコンＡの本体１は樹脂製の上ケース２および樹脂製の下ケース３を有している。本体１の上面にはキーボード９が搭載されている。本体１の上面前部（キーボード９の前側）はユーザーがキーボード９へのデータ入力の際に掌を置くためのアームレスト７が形成される。
【００１４】
本体１の後部には一対のヒンジ部５ａ、５ｂを介して主表示装置４が開位置と閉位置との間を回動自在に接続されている。主表示装置４にはデータを表示するための主表示手段としての高解像度の液晶ディスプレイ（以下メインＬＣＤと略す）６が組み込まれている。
【００１５】
また、アームレスト７のほぼ中央部には、表示一体型のポインティングデバイスとして用いられる第１の副操作部としてのｃＰａｄ２０が配置されており、第１の副表示装置としての低解像度のディスプレイ（以下、第１のサブＬＣＤ）１１２ｂが設けられている。
【００１６】
更にノート側パソコンＡの本体１上面上の（ｃＰａｄ２０の）手前側には、第２の副操作部３０が配置されており、後述する複数の操作ボタン１５と第２の副表示装置としての低解像度のディスプレイ（以下第２のサブＬＣＤ）３１が設けられている。
【００１７】
また、ノート型パソコンＡの本体１の奥手側には、本パソコンＡの電源をオン／オフするためのパワーボタン１１と、主表示装置４の開閉を検知する開閉検知部１２と、後述するリモコン装置４０からの指示信号を受信するリモコン受信部１３が設けられている。このリモコン受信部１３は、後述するように、リモコン装置４０からの指示信号の受信に基いて、リモコン装置４０との距離の算出も行うようになっている。
【００１８】
第２の副表示装置３０における複数の操作ボタン１５は、それぞれハードウェアから構成された外部入力ボタンであり、特定のプログラムの起動やメディア再生制御等のための専用ボタンとして使用される。
【００１９】
第２のサブＬＣＤ３１は、本ノート型パソコンＡの各種ステータスを表示するために設けられた第２の副表示装置であり、メディア再生の状態を示す情報の他、例えば外部ＡＣ電源の接続の有無、ハードディスクドライブのアクセスの有無、時計情報などの様々なシステムステータスを表示することができる。
【００２０】
尚、本実施例では、その表示領域の大きさ及び解像度を、メインＬＣＤ６＞第１のサブＬＣＤ１１２ｂ＞第２のサブＬＣＤ３１のように構成しており、一度に表示可能な情報量も、表示領域の大きさ及び解像度と同様に、メインＬＣＤ６＞第１のサブＬＣＤ１１２ｂ＞第２のサブＬＣＤ３１としている。
【００２１】
図２は、図１に示したノート型パソコンＡのシステム構成を示すブロック図である。
このノート型パソコンＡは、図示するように、ＣＰＵ２０１、ホストブリッジ２０２、主メモリ２０３、グラフィックスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、電源コントローラ２１３、及びＢＩＯＳ−ＲＯＭ２１５等が設けられている。
【００２２】
ＣＰＵ２０１は、ノート型パソコンＡの動作を制御するために設けられたもので、ＨＤＤ２０８から主メモリ２０３にロードされたオペレーションシステムおよびアプリケーションプログラム／ユーティリティプログラム、更に後述する表示制御に関するプログラムを実行する。
【００２３】
ホストブリッジ２０２は、ＣＰＵ２０１のローカルバスとＰＣＩバス１００との間を双方向で接続するブリッジデバイスである。グラフィックスコントローラ２０４は本パソコンＡのメインＬＣＤ６を制御する。
【００２４】
Ｉ／Ｏコントローラ２０７はＨＤＤ２０８、ＣＤ−ＲＯＭ２０９等を制御する。ＰＣＩ−ＩＳＡブリッジ２０６はＰＣＩバス１００とＩＳＡバス２００を双方向で接続するブリッジデバイスであり、ここには例えばシステムタイマ、ＤＭＡコントローラ、割り込みコントローラなどの各種システムデバイスも内蔵されている。
【００２５】
ＵＳＢコントローラ２１０には、上述したｃＰａｄ２０が接続されている。このｃＰａｄ２０は、タッチパッド１１２ａと、第１の副表示装置としての第１のサブＬＣＤ１１２ｂと、バックライト１１２ｃとが一体化され、レフト（左）ボタン１１３ａ、ライト（右）ボタン１１３ｂ、及びミドル（中）ボタン１１３ｃを含んで構成される。また、ＥＣ／ＫＢＣ２１１には、上述した第２のサブＬＣＤ３１を含む第２の副操作部３０が接続されている。
【００２６】
ＥＣ／ＫＢＣ２１１は、電力管理のためのエンベデッドコントローラ（ＥＣ）とキーボード９を制御するためのキーボードコントローラ（ＫＢＣ）とが集積された１チップマイクロコンピュータである。
【００２７】
このＥＣ／ＫＢＣ２１１は、電源コントローラ２１３と協同して、ユーザによるパワーボタン１１の操作に応じて本パソコンＡをパワーオン／パワーオフする機能を有している。また、開閉検知部１２からの検出信号に基いて、電源コントローラ２１３と協同して、メインＬＣＤ６やｃＰａｄ２０への電力供給を制御する機能を有している。
【００２８】
また、ＥＣ／ＫＢＣ２１１は、後述するように、リモコン受信部１３からの受信状況に基いて、第１のＬＣＤ２１１ｂあるいは第２のサブＬＣＤ３１の表示を、メインＬＣＤ６へ拡大表示するよう表示制御する機能を有している。
【００２９】
ＢＩＯＳ−ＲＯＭ２１５には、ＢＩＯＳが格納されている。このＢＩＯＳは本システム内のハードウェアコンポーネントを制御するためのプログラムである。このＢＩＯＳには、システムタイマから時間情報を読み取る機能や、ＥＣ／ＫＢＣ２１１を制御してサブＬＣＤ３０に表示される時刻を修正する機能なども含まれている。
【００３０】
図３は、リモコン装置４０の概略的な外観を示す図である。
図３に示すリモコン装置４０は、主にチャンネル等を示すチャンネルキー４０１、ノート型パソコンＡに対して指示信号を送信する送信部４０２、拡大表示を指示するための拡大表示ＯＮ／ＯＦＦキー４０３、及び拡大表示の拡大倍率の変更を指示するための倍率変更キー４０４とを有している。
【００３１】
拡大表示ＯＮ／ＯＦＦキー４０３は、キーを押下することによりメインＬＣＤ６に対して第１のサブＬＣＤ１１２ｂ及び／又は第２のサブＬＣＤ３１の表示内容を拡大表示するよう指示信号を出力しつづけ、キー押下を止めると、拡大表示の指示信号の出力をストップするようになっている。
【００３２】
倍率変更キー４０４は、キーを押下する毎にノート型パソコンＡ側で倍率が例えば「２倍→３倍→４倍→５倍→２倍→３倍→・・・」と変更され、ユーザが所望する倍率が表示された段階で以降のキー押下を行わないことにより、以降拡大表示される拡大表示倍率が変更される。
【００３３】
図４は、主要部における表示制御の動作を説明するプログラム構成図である。ここでは、設定された拡大表示倍率を記録した設定テーブル３０１、リモコン受信部１３からの検知信号に応じて設定テーブル３００に設定された内容に従ってメインＬＣＤ６への拡大表示制御を行う制御プログラム３００、そしてメインＬＣＤ６とグラフィックスコントローラ２０４、ｃＰａｄ２０とＵＳＢコントローラ２１０、第２のサブＬＣＤ３１とＥＣ／ＫＢＣ２１１を構成要素としている。
【００３４】
図５及び図６は、メインＬＣＤ６に拡大表示する際のメインＬＣＤ６、第１及び第２のサブＬＣＤ１１２ｂ、３１の表示内容を概略的に示す図である。本実施例では、ＭＰＥＧメディアの再生処理に関するメディア情報を表示した場合を用いて説明する。
【００３５】
まず、図５を用いて、メインＬＣＤ６にＭＰＥＧメディア再生処理に関するウィンドウが表示されており、その一部の情報が、同様に第１及び第２のサブＬＣＤ１１２ｂ、３１に表示されている状況において、リモコン装置４０によって早送り操作が指示された場合のメインＬＣＤ６、第１及び第２のサブＬＣＤ１１２ｂ、３１の表示内容について説明する。
【００３６】
図５（ａ）は第２のサブＬＣＤ３１におけるメディア情報の表示内容を示す図であり、図５（ｂ）は第１のサブＬＣＤ１１２ｂにおけるメディア情報の表示内容を示す図であり、図５（ｃ）はメインＬＣＤ６におけるメディア情報の表示内容を示す図である。
【００３７】
図５（ａ）に示す第２のサブＬＣＤ３１は、その表示領域の大きさの関係から、後述する図５（ｂ）（ｃ）に示すメインＬＣＤ６及び第１のサブＬＣＤ１１２ｂに表示される情報の一部に相当する、再生中のメディア情報のタイトル情報に加え、操作情報（ここでは早送り操作情報）と、充電情報が表示されている。
【００３８】
図５（ｂ）に示す第１のサブＬＣＤ１１２ｂは、その表示領域の大きさの関係から、後述する図５（ｃ）に示すメインＬＣＤ６に表示される情報の一部に相当する、再生中のメディア情報のタイトル、再生秒数、プレイリストの再生曲順、アーティスト名に加え、操作情報（ここでは早送り操作情報）と、充電情報が表示されている。
【００３９】
図５（ｃ）に示すメインＬＣＤ６では、現在、再生中のメディア情報として、例えばタイトル６１、収録されている曲名とその順番と各所要時間等を含むプレイリスト６２、視覚効果アニメーション６３等に加え、操作情報（ここでは早送り操作情報）と、充電情報が表示されている。
【００４０】
そして、本実施例では、リモコン装置４０から、例えば早送り操作が指示された場合、制御プログラム３００は、図５（ａ）（ｂ）にしめすように、第１及び第２のサブＬＣＤ１１２ｂ、３１に早送り操作情報を表示するよう表示制御する。
【００４１】
また、第１及び第２のサブＬＣＤ１１２ｂ、３１の表示動作と共に、制御プログラム３００は、制御テーブル３０１を参照し、設定された拡大倍率にて、図５（ｃ）に示すように、メインＬＣＤ６に表示されたウィンドウよりも前面に、早送り操作情報と充電情報６５を拡大表示するよう表示制御する。
【００４２】
本実施例では、充電情報は、図５（ｃ）に示すメインＬＣＤ６の右下隅にも表示されている。しかし、遠隔操作時には本来表示されている充電情報６６では離れた位置に居るユーザによる認識が困難であることから、拡大された早送り操作情報と充電情報６５をメインＬＣＤ６に表示している。
【００４３】
尚、本実施例では、早送り等の操作は電力消費が大きいので、充電情報６５を拡大表示するようにしたが、本発明はこれに限るものではない。
【００４４】
次に、図６を用いて、ＭＰＥＧメディア再生処理に伴う視覚効果アニメーション６３をメインＬＣＤ６の表示画面いっぱいに表示するよう設定され、詳細情報の一部の情報が、同様に第１及び第２のサブＬＣＤ１１２ｂ、３１に表示されている状況において、リモコン装置４０によって再生操作が指示された場合のメインＬＣＤ６、第１及び第２のサブＬＣＤ１１２ｂ、３１の表示内容について説明する。
【００４５】
図６（ａ）は第２のサブＬＣＤ３１におけるメディア情報の表示内容を示す図であり、図６（ｂ）は第１のサブＬＣＤ１１２ｂにおけるメディア情報の表示内容を示す図であり、図６（ｃ）はメインＬＣＤ６におけるメディア情報の表示内容を示す図であり、図６（ｄ）はメインＬＣＤ６における拡大表示の内容を示す図である。
【００４６】
図６（ａ）に示す第２のサブＬＣＤ３１は、その表示領域の大きさの関係から、再生中のメディア情報の一部に相当するタイトル情報に加え、操作情報（ここでは再生操作情報）と、充電情報が表示されている。
【００４７】
図６（ｂ）に示す第１のサブＬＣＤ１１２ｂは、その表示領域の大きさの関係から、再生中のメディア情報の一部に相当するタイトル、再生秒数、プレイリストの再生曲順、アーティスト名に加え、操作情報（ここでは再生操作情報）と、充電情報が表示されている。
【００４８】
図６（ｃ）に示すメインＬＣＤ６では、現在、再生中のメディア情報の視覚効果アニメーション６３が表示画面いっぱいに表示されている。この際、視覚効果アニメーション６３以外の詳細情報や操作情報、及び充電情報は一切表示されない。
【００４９】
図６（ｄ）に示すメインＬＣＤ６では、現在、再生中のメディア情報の視覚効果アニメーション６３が表示画面いっぱいに表示されているのに加え、タイトル情報６７が拡大表示されている。
【００５０】
そして、本実施例では、リモコン装置４０から、例えば再生操作が指示された場合、制御プログラム３００は、図５（ａ）（ｂ）にしめすように、第１及び第２のサブＬＣＤ１１２ｂ、３１に再生操作情報を表示するよう表示制御する。
【００５１】
また、制御プログラム３００は、図６（ｄ）に示すように、メインＬＣＤ６の表示画面いっぱいに視覚効果アニメーション６３を表示すると共に、制御テーブル３０１を参照し、設定された拡大倍率にて、メインＬＣＤ６の表示画面いっぱいに表示された視覚効果アニメーション６３よりも前面に、再生されるメディア情報のタイトル情報６７を拡大表示するよう表示制御する。
【００５２】
本実施例では、タイトル情報は、図６（ａ）（ｂ）に示す第１及び第２のサブＬＣＤ１１２ｂ、３１にも表示されている。しかし、遠隔操作時には第１及び第２のサブＬＣＤ１１２ｂ、３１に表示されているタイトル情報では、離れた位置に居るユーザによる認識が困難であることから、拡大されたタイトル情報６７をメインＬＣＤ６に表示している。
【００５３】
尚、本実施例では、図６（ｄ）に示す拡大表示されたタイトル情報６７が消えた（表示をやめた）後には、図６（ｃ）に示すように、再生中のメディア情報の視覚効果アニメーション６３がメインＬＣＤ６の表示画面いっぱいに表示されている状態となる。
【００５４】
図７乃至図１１は、ノート型パソコンＡにおける拡大表示の表示制御方法を説明するフローチャート図である。
【００５５】
まず、図７を用いて、リモコン装置４０を使った拡大表示の処理の第１の実施例を説明する。ユーザによりリモコン装置４０の拡大表示ＯＮ／ＯＦＦキー４０３が押下される。
【００５６】
これを受けて、ノート型パソコンＡでは、図７に示すように、制御プログラム３００は、リモコン受信部１３によりリモコン装置４０からの指示信号を受信すると（ＳＴ１１）、制御テーブル３０１を参照し、設定されている拡大倍率で、処理内容及び／又は関連する情報をメインＬＣＤ６に拡大表示するよう表示制御する（ＳＴ１２）。
【００５７】
そして、ユーザがリモコン装置４０の拡大表示ＯＮ／ＯＦＦキー４０３を押しつづけている場合には、ノート型パソコンＡはリモコン受信部１３によりリモコン装置４０からの指示信号を受信しつづけるので、メインＬＣＤ６の表示画面には拡大表示されたままの状態が続く（ＳＴ１３）。
【００５８】
ここで、ユーザがリモコン装置４０の拡大表示ＯＮ／ＯＦＦキー４０３の押下を止めると、ノート型パソコンＡのリモコン受信部１３では指示信号を受信しなくなるので（ＳＴ１３）、制御プログラム３００は、メインＬＣＤ６の拡大表示を消すよう表示制御する（ＳＴ１４）。
【００５９】
例えば、現在メディア再生中で図６（ｃ）に示す状態であったところ、リモート制御により拡大表示ＯＮの指示を受けたため、制御プログラム３００は、図６（ｄ）に示すように、現在再生中のメディアのタイトル情報を拡大表示し、拡大表示ＯＮの指示を受信しなくなると、拡大表示を消して、図６（ｃ）に示す状態に戻すよう表示制御することとなる。
【００６０】
以上の通り、第１の実施例では、リモコン装置４０の所定のキーを押すだけで、リモート操作により離れた位置にあるノート型パソコンＡの処理内容及び／又は関連する情報をメインＬＣＤ６に拡大表示するよう表示制御する。これにより、簡単なリモコン操作によって、表示が小さく遠隔操作時に確認し難い情報を拡大表示し、遠隔操作を行っているユーザによるパソコンの情報確認が容易という効果を奏する。
【００６１】
尚、本実施例では、拡大表示ＯＮ／ＯＦＦキー４０３は、キー押下することが拡大表示ＯＮを示し、キーを押していない状態が拡大表示ＯＦＦを示す構成で説明したが、これに限らず、拡大表示ＯＮ／ＯＦＦキー４０３を１回押下すると拡大表示ＯＮを示し、もう１回キーを押下（即ち２回目のキー押下）すると拡大表示ＯＦＦを示す構成でもよい。
【００６２】
次に、図８を用いてリモコン装置４０を使った拡大表示の処理の第２の実施例を説明する。
【００６３】
尚、図７に示す第１の実施例において、拡大表示ＯＮ／ＯＦＦキー４０３は、キー押下することが拡大表示ＯＮを示し、キーを押していない状態が拡大表示ＯＦＦを示す構成で説明した。
【００６４】
これに対して、本第２の実施例では、拡大表示ＯＮ／ＯＦＦキー４０３は、キーを押下すると拡大表示ＯＮを示す構成となり、その代わりに一定時間経過するとメインＬＣＤ６への拡大表示を消す点で異なる。
【００６５】
まず、ユーザによりリモコン装置４０の拡大表示ＯＮ／ＯＦＦキー４０３が１回押下される。これを受けて、ノート型パソコンＡにおいて、図８に示すように、制御プログラム３００は、リモコン受信部１３によりリモコン装置４０からの指示信号を受信すると（ＳＴ２１）、制御テーブル３０１を参照し、設定されている拡大倍率で、指示内容及び／又は関連する情報をメインＬＣＤ６に拡大表示するよう表示制御する（ＳＴ２２）。
【００６６】
制御プログラム３００はＳＴ２２の表示制御と共に時間をカウントし、予め設定された所定時間が経過すると（ＳＴ２３）、メインＬＣＤ６の拡大表示を消すよう表示制御する（ＳＴ２４）。
【００６７】
例えば、現在メディア再生中で図６（ｃ）に示す状態であったところ、リモート制御により拡大表示ＯＮの指示を受けたため、制御プログラム３００は、図６（ｄ）に示すように、現在再生中のメディアのタイトル情報を拡大表示し、拡大表示の状態が一定時間が経過すると、自動的に拡大表示を消して、図６（ｃ）に示す状態に戻すよう表示制御することとなる。
【００６８】
以上の通り、第２の実施例では、リモコン装置４０の所定のキーを押すだけで、リモート操作により離れた位置にあるノート型パソコンＡの処理内容及び／又は関連する情報をメインＬＣＤ６に拡大表示し、所定時間経過すると自動的に拡大表示が消えるよう表示制御する。
【００６９】
これにより、簡単なリモコン操作によって、表示が小さく遠隔操作時に確認し難い情報を拡大表示し、遠隔操作を行っているユーザによるパソコンの情報確認が容易という効果を奏する。また、リモコン装置を用いてユーザは拡大表示の指示のみ行えばよく、少ない操作で実行できる。
【００７０】
次に、図９を用いてリモコン装置４０を使ったリモート操作による拡大表示の第３の実施例で、特に拡大倍率変更処理について説明する。
【００７１】
まず、ユーザによりリモコン装置４０の倍率変更キー４０４が１回押下される。これを受けて、ノート型パソコンＡでは、図９に示すように、リモコン受信部１３によりリモコン装置４０から倍率変更の指示信号を受信する（ＳＴ３１）。
【００７２】
ＳＴ３１の信号受信を受けて、制御プログラム３００は、制御テーブル３０１を参照し、現在設定されている拡大倍率、例えば「４倍」が設定されていた場合「４倍」を拡大表示よう表示制御する（ＳＴ３２）。
【００７３】
制御プログラム３００はＳＴ３２の表示制御と共に時間をカウントし、予め設定された所定時間が経過する前までにリモコン受信部１３によりリモコン装置４０から倍率変更の指示信号が受信されると（ＳＴ３３のＹｅｓ）、ＳＴ３２で拡大表示した倍率（この場合「４倍」）の次に大きな倍率、例えば「５倍」を拡大表示するよう表示制御する（ＳＴ３４）。
【００７４】
同様に、制御プログラム３００はＳＴ３４の表示制御と共に時間をカウントし、予め設定された所定時間が経過する前までにリモコン受信部１３によりリモコン装置４０から倍率変更の指示信号が受信されると（ＳＴ３３のＹｅｓ）、ＳＴ３４で拡大表示した倍率（この場合「５倍」）の次の倍率、本実施例の場合最も小さい拡大倍率である「２倍」に戻り、「２倍」を拡大表示するよう表示制御する（ＳＴ３４）。
【００７５】
ＳＴ３３で、リモコン受信部１３からの指示信号が受信されないまま予め設定された所定時間が経過すると（ＳＴ３３のＮｏ）、制御プログラム３００は、メインＬＣＤ６の拡大表示を消すよう表示制御すると共に、メインＬＣＤ６に最後に拡大表示された拡大倍率を制御テーブル３０１に記憶することにより、拡大倍率の変更が行われる（ＳＴ３５）。
【００７６】
以上の通り、第３の実施例では、リモコン装置４０の所定のキーを押すだけで、リモート操作により離れた位置にあるノート型パソコンＡの処理内容及び／又は関連する情報をメインＬＣＤ６に拡大表示する際の拡大倍率を変更することができる。
【００７７】
これにより、簡単なリモコン操作によって、表示が小さく遠隔操作時に確認し難い情報を拡大表示するのに、遠隔操作を行っているユーザの位置に合わせて、ユーザが拡大倍率を容易に変更でき、より確実にパソコンの情報を確認することが容易となる。
【００７８】
尚、本実施例では、倍率変更キー４０４を押下する度に、異なる拡大倍率をメインＬＣＤに拡大表示し、次に続けて倍率変更キー４０４が押されず何ら指示がない場合に、変更する拡大倍率を決定し変更しているが、これに限らず、図示せぬ決定キーが押され、決定指示がノート型パソコンＡのリモコン受信部１３を介して入力されることにより、その際にメインＬＣＤ６に拡大表示している拡大倍率に決定して変更しても良い。
【００７９】
次に、図１０を用いてリモコン装置４０を使ったリモート操作に伴う拡大表示の処理の第４の実施例を説明する。
【００８０】
まず、ユーザによりリモコン装置４０のキーが押下されると、ノート型パソコンＡは、図１０に示すように、リモコン受信部１３によりリモコン装置４０からの指示信号を受信すると（ＳＴ４１）。
【００８１】
制御プログラム３００は、ＳＴ４１で受信した指示信号の示す操作処理を実行すると共に、制御テーブル３０１を参照し、設定されている拡大倍率で、指示内容及び／又は関連する情報をメインＬＣＤ６に拡大表示するよう表示制御する（ＳＴ４２）。
【００８２】
制御プログラム３００はＳＴ４２の表示制御と共に時間をカウントし、特段の入力もなく予め設定された所定時間が経過すると（ＳＴ４３、ＳＴ４４のＮｏ）、制御プログラム３００は、メインＬＣＤ６の拡大表示を消すよう表示制御する（ＳＴ４５）。
【００８３】
また、予め設定された所定時間が経過する前に、キーボード９等のノート型パソコンＡに搭載された遠隔操作できない入力機器から入力が行われたことが検出されると（ＳＴ４３のＮｏ、ＳＴ４４のＹｅｓ）、制御プログラム３００は、メインＬＣＤ６の拡大表示を消すよう表示制御する（ＳＴ４５）。
【００８４】
例えば、図５に示すように、リモート制御により早送り操作の指示を受けると、制御プログラム３００は、別途早送り操作を実行すると共に、図５（ｃ）に示すように、メインＬＣＤ６に表示された現在早送り中のメディア情報のウィンドウの前面に、操作情報（ここでは早送り操作情報）と、充電情報を拡大表示するよう表示制御することとなる。
【００８５】
以上の通り、第４の実施例では、リモコン装置４０の所定のキーを押すだけで、リモート操作により離れた位置にあるノート型パソコンＡの処理内容及び／又は関連する情報をメインＬＣＤ６に拡大表示し、所定時間経過すると自動的に拡大表示が消えるよう表示制御する。
【００８６】
更には、メインＬＣＤ６への拡大表示中に、キーボード９等のノート型パソコンＡに搭載された遠隔操作できない入力機器から入力が行われると、ユーザがノート型パソコンＡに近い位置に居るので拡大表示は不要と判断し、拡大表示を消すよう表示制御している。
【００８７】
これにより、簡単なリモコン操作によって、表示が小さく遠隔操作時に確認し難い情報を拡大表示し、遠隔操作を行っているユーザによるパソコンの情報確認が容易で、かつリモコン装置を用いるもユーザがノート型パソコンの近くにいて拡大表示が不要な場合には、無駄な拡大表示は中断して表示しないという効果も奏する。
【００８８】
次に図１１を用いてリモコン装置４０を使ったリモート操作に伴う拡大表示の処理の第５の実施例を説明する。
【００８９】
まず、ユーザによりリモコン装置４０のキーが押下されると、ノート型パソコンＡは、図１１に示すように、リモコン受信部１３によりリモコン装置４０からの指示信号を受信し（ＳＴ５１）、受信した指示信号に基いて、リモコン装置と本パソコンＡとの距離を算出する（ＳＴ５２）。
【００９０】
この際、例えば、リモコン装置４０とノート型パソコンＡとの間で、定期的に現在時刻の相互確認が行われるならば、ユーザによりリモコン装置４０のキーが押下されると、まずリモコン装置からノート型パソコンＡに対して、指示信号送付時間を送信し、そして指定した時間に指示信号を送信することによって、リモコン受信部１３では、指示信号送付時間で指定された時間から、指示信号を受信するまでの遅延時間を計算することで、リモコン装置４０との距離を算出することができる。尚、本実施例は、この距離算出方法に限定されないことは言うまでもない。
【００９１】
次に、制御プログラム３００は、ＳＴ５１で受信した指示信号の示す操作処理を実行すると共に、ＳＴ５２で算出された距離と予め設定した基準値と比較して、所定距離よりも遠い位置からのリモート制御であるかを判断する（ＳＴ５３）。
【００９２】
ＳＴ５３により、所定距離以内のノート型パソコンＡに近い位置からのリモート制御であると判断されると（ＳＴ５３のＮｏ）、制御プログラム３００は、指示内容及び／又は関連する情報をメインＬＣＤ６に拡大表示することなく処理を終了する。
【００９３】
ＳＴ５３により、所定距離よりも遠い位置からのリモート制御であると判断されると（ＳＴ５３のＹｅｓ）、制御プログラム３００は、制御テーブル３０１を参照し、ＳＴ５２で算出された距離に対応する拡大倍率で、指示内容及び／又は関連する情報をメインＬＣＤ６に拡大表示するよう表示制御する（ＳＴ５４）。
【００９４】
制御プログラム３００は、ＳＴ５４の表示制御と共に時間をカウントし、予め設定された所定時間が経過すると（ＳＴ５５のＹｅｓ）、メインＬＣＤ６の拡大表示を消すよう表示制御する（ＳＴ５６）。また、ＳＴ５６で拡大表示を消した後、ＳＴ５１で指示されたリモート操作が終了すると、本拡大表示処理を終了する（ＳＴ５７のＹｅｓ）。
【００９５】
また、ＳＴ５６で拡大表示を消した後で、ＳＴ５１で指示されたリモート操作が終了する前に、拡大表示の対象となっている情報（例えば充電情報、時刻情報や、再生メディアのタイトルやプレイリスト番号など）の表示内容に変更が生じた場合には（ＳＴ５７のＮｏ、ＳＴ５８のＹｅｓ）、制御プログラム３００は、ＳＴ５４で拡大表示した時と同じ拡大倍率で、変更が生じた情報をメインＬＣＤ６に拡大表示するよう表示制御する（ＳＴ５９）。
【００９６】
制御プログラム３００は、ＳＴ５９の表示制御と共に時間をカウントし、予め設定された所定時間が経過すると（ＳＴ５５のＹｅｓ）、メインＬＣＤ６の拡大表示を消すよう表示制御する（ＳＴ５６）。また、ＳＴ５６で拡大表示を消した後、ＳＴ５１で指示されたリモート操作が終了すると、本拡大表示処理を終了する（ＳＴ５７のＹｅｓ）。
【００９７】
例えば、本実施例では、図５に示すように、リモート制御により早送り操作の指示を受けると、制御プログラム３００は、別途早送り操作を実行すると共に、リモート制御の指示を出したユーザの位置がノート型パソコンＡに近い位置であると検出されると拡大表示制御は行わない。
【００９８】
リモート制御の指示を出したユーザの位置がノート型パソコンＡから所定距離以上はなれた位置であると検出されると、制御プログラム３００は、距離に応じた拡大倍率で、図５（ｃ）に示すように、メインＬＣＤ６に表示された現在早送り中のメディア情報のウィンドウの前面に、操作情報（ここでは早送り操作情報）と、充電情報を拡大表示を行うよう表示制御する。そして、拡大表示の状態が一定時間が経過すると、自動的に拡大表示を消すよう表示制御することとなる。
【００９９】
また、本実施例では、ＳＴ５１で指示されたリモート操作が終了する前に、拡大表示の対象となる情報に変更が生じ、例えば電力消費により充電情報に変更が生じた場合、拡大倍率を変えずに、図５（ｃ）に示すような充電情報を拡大表示するよう表示制御することとなる。
【０１００】
以上の通り、第５の実施例では、リモート操作により離れた位置にあるノート型パソコンＡの処理内容及び／又は関連する情報を、リモコン装置４０とノート型パソコンＡの距離に応じた拡大倍率でメインＬＣＤ６に拡大表示し、更に所定時間経過すると自動的に拡大表示が消えるよう表示制御する。
【０１０１】
更には、拡大表示の対象となっている情報に変更が生じた場合には、ユーザからリモート操作にて拡大表示が指示されていないにもかかわらず、メインＬＣＤ６へ変更が生じた情報を拡大表示し、更に所定時間経過すると自動的に拡大表示が消えるよう表示制御する。
【０１０２】
これにより、簡単なリモコン操作によって、表示が小さく遠隔操作時に確認し難い情報を拡大表示し、遠隔操作を行っているユーザによるパソコンの情報確認が容易である上、リモート操作に伴って拡大表示を行った後にユーザからの拡大表示の指示がなくとも必要に応じて自動的に情報の拡大表示を行うという効果も奏する。
【０１０３】
【発明の効果】
以上説明したように、本発明によれば、表示が小さく遠隔操作時に確認し難い情報を拡大表示し、遠隔操作を行っているユーザによる情報の確認が容易である。
【図面の簡単な説明】
【図１】本発明の実施形態における情報処理装置であるノート型パーソナルコンピュータＡの外観構成を示す斜視図。
【図２】ノート型パソコンＡのシステム構成を示すブロック図。
【図３】リモコン装置４０の外観を示す斜視図。
【図４】表示制御の動作を説明するプログラム構成図。
【図５】メインＬＣＤ６、第１のサブＬＣＤ１１２ｂ、第２のサブＬＣＤ３１の表示内容を説明する概略図。
【図６】メインＬＣＤ６、第１のサブＬＣＤ１１２ｂ、第２のサブＬＣＤ３１の表示内容を説明する概略図。
【図７】ノート型パソコンＡにおける拡大表示に関する表示制御処理の第１の実施例を説明するフローチャート図。
【図８】ノート型パソコンＡにおける拡大表示に関する表示制御処理の第２の実施例を説明するフローチャート図。
【図９】ノート型パソコンＡにおける拡大表示に関する表示制御処理の第３の実施例で、特に倍率変更処理について説明するフローチャート図。
【図１０】ノート型パソコンＡにおける拡大表示に関する表示制御処理の第４の実施例を説明するフローチャート図。
【図１１】ノート型パソコンＡにおける拡大表示に関する表示制御処理の第５の実施例を説明するフローチャート図。
【符号の説明】
Ａ　　情報処理装置、ノート型パソコン
１　　情報処理装置およびノート型パソコンの本体
２、３　　情報処理装置およびノート型パソコンのケース
４　　表示装置
５ａ、５ｂ　　ヒンジ部
６　　メインＬＣＤ
７　　パームレスト
９　　キーボード
１２　　開閉検出部
１３　　リモコン受信部
２０　　第１の副操作部（ｃＰａｄ）
３０　　第２の副操作部
３１　　第２のサブＬＣＤ
４０　　リモコン装置
１１２ｂ　　第１のサブＬＣＤ
４０３　　拡大表示ＯＮ／ＯＦＦキー
４０４　　倍率変更キー
【図１】
2004118263.tif 000003
【図２】
2004118263.tif 000004
【図３】
2004118263.tif 000005
【図４】
2004118263.tif 000006
【図５】
2004118263.tif 000007
【図６】
2004118263.tif 000008
【図７】
2004118263.tif 000009
【図８】
2004118263.tif 000010
【図９】
2004118263.tif 000011
【図１０】
2004118263.tif 000012
【図１１】
2004118263.tif 000013